(57)【要約】      （修正有）【課題】コンパクトで日常持ち歩くのに適し、機能性に優れ、かつすばやい装着が可能である折り畳み可能な携帯用の防災頭巾を提供する。【解決手段】２又は３分割した保護板を内部に並べ袋状に綴じこんである保護部及び保護部と重ねて周縁部分で固着したポケット部を有し装着時に頭頂部を保護する上面部分となる第一保護部材と、第一保護部材の周縁部分に吊設された垂れ布で装着時に側頭部と後頭部と顔側面部と頚部とを保護する裾部分となる第二保護部材と、を具備する。第一保護部材の内側へ第二保護部材を折り畳み保護板同士の間を折曲線として第一保護部材を内側へ折り曲げ第二保護部材を第一保護部材の内側に収納した状態で保持するための収納用係止部を第一保護部材に有する。【選択図】図２
0003177059.tif 000002
【実用新案登録請求の範囲】
【請求項１】
折り畳み可能な携帯用の防災頭巾であって、２又は３分割した保護板を内部に並べ袋状に綴じこんである保護部及び前記保護部と重ねて周縁部分で固着したポケット部を有し装着時に頭頂部を保護する上面部分となる第一保護部材と、前記第一保護部材の周縁部分に吊設された垂れ布で装着時に側頭部と後頭部と顔側面部と頚部とを保護する裾部分となる第二保護部材と、を具備し、前記第一保護部材の内側へ前記第二保護部材を折り畳み前記保護板同士の間を折曲線として前記第一保護部材を内側へ折り曲げ前記第二保護部材を前記第一保護部材の内側に収納した状態で保持するための収納用係止部を前記第一保護部材に有することを特徴とする防災頭巾。
【請求項２】
前記保護板が、波状に加工したプラスチック板を表裏のプラスチック板で挟んで接着させてなる合板であることを特徴とする請求項１記載の防災頭巾。
【請求項３】
さらに、脱帽防止用部材として、首回り紐又は顎かけ紐を具備することを特徴とする請求項１又は請求項２に記載の防災頭巾。
【請求項４】
前記第二保護部材は、前方部に両端を係止する裾係止部を有することを特徴とする請求項１から請求項３のいずれかに記載の防災頭巾。
【請求項５】
前記ポケット部が、前記保護部の上面側に設けてあり、装着時に前方となる側の上面側にふた部を有し、前記ふた部が前記保護部の下面の下方内側に折り曲げ可能であることを特徴とする請求項１から請求項４のいずれかに記載の防災頭巾。
【請求項６】
前ポケット部が、前記保護部の下面側に設けてあり、左右周縁部分を前記保護部に固着させ後方が開口部である袋形状のメッシュ地であり周囲長が前記保護部の周囲長より短いことを特徴とする請求項１から請求項４のいずれかに記載の防災頭巾。
【考案の詳細な説明】
【技術分野】
【０００１】
本考案は、防災頭巾に関し、特に携帯して持ち歩くのに適する防災頭巾に関する。
【背景技術】
【０００２】
これまで、防災頭巾は自宅や職場、学校に設置し、地震・災害時に持ち出して利用する物と考えられていた。しかし自宅や職場で被災するとは限らない。災害の発生が外出時、たとえば電車、地下街、ビルの中、公園や遊戯施設、通勤、登下校時等であった場合頭部や肩を落下物、火の粉などから守るためには、防災頭巾を常に携帯していることが望ましい。都や区の広報では非常時はカバンや上着を頭に乗せて避難するように指導しているが、暗い場所を手探りで歩いたり、上着も燃えやすい繊維で作られていることもあるので現実的ではない。そこで、持ち運び用の防災頭巾が開発された（例えば、特許文献１参照）。
【先行技術文献】
【特許文献】
【０００３】
【特許文献１】特開２００９−２９７３７５号公報
【考案の概要】
【考案が解決しようとする課題】
【０００４】
しかし、特許文献１のような従来の防災頭巾では、膨らませるための圧縮ガスボンベが必要であるため嵩張り、日常持ち歩くには不便であるという問題があった。また、膨らませるというステップを要するため、装着に時間がかかり、災害時の迅速な行動の妨げとなるという問題があった。
【０００５】
本考案は従来の上記実情に鑑みてなされたものであり、従って本考案は、コンパクトで日常持ち歩くのに適し、機能性に優れ、かつすばやい装着が可能である防災頭巾を提供することを目的とする。
【課題を解決するための手段】
【０００６】
本考案の第１の態様は、折り畳み可能な携帯用の防災頭巾であって、２又は３分割した保護板を内部に並べ袋状に綴じこんである保護部及び前記保護部と重ねて周縁部分で固着したポケット部を有し装着時に頭頂部を保護する上面部分となる第一保護部材と、前記第一保護部材の周縁部分に吊設された垂れ布で装着時に側頭部と後頭部と顔側面部と頚部とを保護する裾部分となる第二保護部材と、を具備し、前記第一保護部材の内側へ前記第二保護部材を折り畳み前記保護板同士の間を折曲線として前記第一保護部材を内側へ折り曲げ前記第二保護部材を前記第一保護部材の内側に収納した状態で保持するための収納用係止部を前記第一保護部材に有することを特徴とする防災頭巾を提供する。
【０００７】
前記保護板が、波状に加工したプラスチック板を表裏のプラスチック板で挟んで接着させてなる合板であることが好ましい。
【０００８】
さらに、脱帽防止用部材として、首回り紐又は顎かけ紐を具備することが好ましい。
【０００９】
前記第二保護部材は、前方部に両端を係止する裾係止部を有することが好ましい。
【００１０】
前記ポケット部が、前記保護部の上面側に設けてあり、装着時に前方となる側の上面側にふた部を有し、前記ふた部が前記保護部の下面の下方内側に折り曲げ可能であることが好ましい。あるいは、前ポケット部が、前記保護部の下面側に設けてあり、左右周縁部分を前記保護部に固着させ後方が開口部である袋形状のメッシュ地であり周囲長が前記保護部の周囲長より短いことが好ましい。
【考案の効果】
【００１１】
本考案の防災頭巾によれば、コンパクトで日常持ち歩くのに適し、機能性に優れ、かつすばやい装着が可能である。
【図面の簡単な説明】
【００１２】
【図１】本考案の実施例１の防災頭巾の全体構成を示す斜視概略図である。
【図２】本考案の実施例１の防災頭巾の装着時における斜視概略図である。
【図３】本考案の実施例１の防災頭巾の装着時におけるＡ−Ａ´線断面概略図である。
【図４】本考案の実施例１の防災頭巾の内側の構造を示す説明図である。
【図５】本考案の実施例１の防災頭巾の折り畳み収納時における斜視概略図である。
【図６】本考案の実施例１の防災頭巾の折り畳み収納時におけるＢ−Ｂ´線断面概略図である。
【図７】本考案の実施例２の防災頭巾全体構成を示す斜視概略図である。
【図８】本考案の実施例２の防災頭巾のＣ-Ｃ´線断面概略図である。
【図９】本考案の実施例２の防災頭巾の内側の構造を示す説明図である。
【図１０】本考案の実施例２の防災頭巾の折り畳み収納時における斜視概略図である。
【図１１】本考案の実施例２の防災頭巾の収納用係止部の位置を示す説明図である。
【考案を実施するための形態】
【００１３】
以下、本考案の防災頭巾の好ましい実施形態について、実施例を用いて具体的に説明する。
【実施例１】
【００１４】
図１は、本考案の実施例１の防災頭巾の全体構成を示す斜視概略図である。また、図２は、本考案の実施例１の防災頭巾の装着時における斜視概略図である。またさらに、図３は、本考案の実施例１の防災頭巾の装着時におけるＡ−Ａ´線断面概略図である。本実施例の防災頭巾１は、折り畳み可能な携帯用の防災頭巾であって、２層構造で下面側が保護部２１で上面側がポケット部２２である第一保護部材２と、第一保護部材２の周縁部分に吊設された垂れ布である第二保護部材３とを具備する。保護部２１の内部には、保護板２１１を有する。本実施例では、第二保護部材３の外側に脱帽防止用部材４を有する。図３では脱帽防止用部材４の図示を省略してある。本実施例では、保護板２１１以外の第一保護部材２と第二保護部材３と脱帽防止用部材４はともに防炎又は難燃性の布地でできている。本実施例では、難燃性の布地の中でも薄くて軽い、カネカロン（登録商標）の繊維を使用した布地を使用しているが、これに限定されない。本実施例では、第一保護部材２と第二保護部材３の布地は、ともに単純な直線裁ちである。第一保護部材２は装着時に頭頂部を保護する上面部分となるものであり、第二保護部材３は装着時に側頭部と後頭部と顔側面部と頚部とを保護する裾部分となるものである。本実施例では、脱帽防止用部材４は首回り紐であり、装着後に紐の両端を引っ張り、首回りに結んで防災頭巾１の脱落を防止する。
【００１５】
第一保護部材２は、保護部２１と、保護部２１と重ねて周縁部分で固着したポケット部２２とを有する。図３において、第二保護部材３の外側の脱帽防止用部材４は図示を省略してある。固着方法としては、例えば縫合や接着が挙げられる。保護部２１は、前用と後ろ用に２分割した保護板２１１を内部に並べ袋状に綴じこんである。図３においては、保護部２１ａ内に保護板２１１ａ、保護部２１ｂ内に保護板２１１ｂが綴じこんである。ポケット部２２は、災害に遭った際に手元にある物、例えば手帳又は長財布又は本など、を入れられる収納スペースとなっている。図３においては、ポケット部２２内に入れる手帳等は図示を省略してある。本実施例では、保護板２１１ａ及び保護板２１１ｂは、それぞれ独立した袋状の内部に保持するために、保護板２１１同士の間でライン状の折曲線２１２（図３において、折曲線２１２ａ）に保護部２１の上部の布地と下部の布地を縫合してあるが、縫合のほかに接着等であってもよい。これにより、保護板２１１同士がずれて重なることを防止できる。折りたたみ時には、かかるライン状の縫い目あるいは接着部分を折曲線として折り曲げることができる。一方、装着時には、ポケット部２２に手帳等を入れることにより、折曲線２１２ａで折れ曲がらず、ポケット部２２に入れた手帳等とともに上方からの落下物等による衝撃を和らげたり、けがを防止したりできる。本実施例では、保護板２１１は、波状に加工した強化プラスチック板を表裏の強化プラスチック板で挟んで接着させてなる合板である。したがって、保護板２１１は、軽くて薄いながらも衝撃吸収ライナーの役目を十分に果たす。
【００１６】
本実施例では、ポケット部２２が、保護部２１の上面側に設けてあり、装着時に前方となる側の上面側にふた部２２１を有し、ふた部２２１が保護部２１の下面の下方内側に折り曲げ可能である。折り曲げたふた部２２１は、装着した人の頭頂部と保護部２１との間に挟まれて固定される。
【００１７】
第一保護部材２の内側へ第二保護部材３を折り畳み、保護板２１１同士の間を折曲線として第一保護部材２を内側へ折り曲げ、第二保護部材３を第一保護部材２の内側に収納した状態で保持するための収納用係止部２３（図３において、収納用係止部２３ａ及び収納用係止部２３ｂ）を、第一保護部材２に有する。第二保護部材３が第一保護部材２の外側にはみ出さないようにする。収納用係止部２３ａと収納用係止部２３ｂは、本実施例では、一組のハトメボタンであるが、例えば、一組の面ファスナやスナップであってもよい。
【００１８】
図４は、本考案の実施例１の防災頭巾の内側の構造を示す説明図である。第一保護部材２の周縁部分の前方以外を囲むように第二保護部材３が取り付けられており、装着時には、第二保護部材３が第一保護部材２の側方及び後方に吊り下げて垂れた状態となる。装着時には、第一保護部材２のポケット部２２内部には、本や財布などを収納することができる。折りたたみ時には、ポケット部２２に収納した物を取り出したうえで、第一保護部材２の内側（図４において、紙面手前側）へ第二保護部材３を折り畳んで収納する。
【００１９】
図５は、本考案の実施例１の防災頭巾の折り畳み収納時における斜視概略図である。また、図６は、本考案の実施例１の防災頭巾の折り畳み収納時におけるＢ−Ｂ´線断面概略図である。折曲線２１２ａで第一保護部材２を内側へ折り曲げ第二保護部材３を第一保護部材２の内側に収納した状態で、収納用係止部２３ａと収納用係止部２３ｂを向かいあわせて係止し、折り畳んだ状態を保持する。図６において、Ｄの部分に収納された第二保護部材３は図示を省略した。災害が発生していない通常時には、かかる状態で持ち歩くことができる。大人の頭に合わせた大きさで、かつ頚部から肩にかかる部分まで覆うものでも、折りたたんだ時は、縦１１ｃｍ、横１５ｃｍ、厚さ３ｃｍに収めることができ、およそ文庫本程度の大きさのコンパクトさで、重さも１００ｇ強程度で軽い。したがって、持ち歩くのにきわめて適する。
【００２０】
本実施例の防災頭巾１は折り畳み状態ではカバン等に入れて邪魔にならずに持ち歩けるので、災害発生時には、カバン等から、折り畳み状態の防災頭巾１を取り出して、収納用係止部２３（例えばハトメボタン）を外すだけで、図４に示したような状態に広げることができ、そのまま頭に被ることが可能である。ふた部２２１が前方にあるので、特に緊急の場合は、ポケット部２２への手帳等の収納は、避難途中で行うことも可能である。
【００２１】
本考案の実施例１の防災頭巾によれば、コンパクトで日常持ち歩くのに適し、機能性に優れ、かつすばやい装着が可能である。したがって、常に携帯可能で、近く起きると想定される地震に備えて多くの人々に安心を与えるものである。
【００２２】
カバンに収納する等して毎日持ち歩き、災害発生時にはすぐに取り出して頭部を被い、折りたたんで収納されている垂れの部分で肩まで防御できる。また、頭部に強化プラスチックを縫い込み、そのままかぶるだけでも頭部を保護できるが頭部にポケットをつけることにより、財布・本・手帳等の堅くて厚みのある物を収納し、より頑強にすることで頭部を守ることができる。したがって、予想できない災害に対応できる。水、火の粉、ガラスの破片から頭部・肩部を守ることができる。頭部への落下物の衝撃を和らげることができる。プラスチック部分を２分割して縫い込む構造であるために、折りたたみやすくなるので非常にコンパクトになる。収納用係止部をはずすだけで内側の垂れ部分である第二保護部材がおりて、顔の側面、肩、背中上部を保護できる。避難時にカバンや他の持ち物を落としたりやむなく手放したりすることがあっても財布など貴重品を頭部に収納してあれば安心して避難行動がとれる。また、小さい子供の場合はポケットにタオルハンカチやオムツなどを入れて保護することも可能である。ふた部は内側に折り込んで閉めることができるので、財布などの貴重品を収納した場合他人から簡単に奪われる事態が起こりにくい。
【００２３】
縫製の製図について、パターン（型紙）が各部分とも長方形に単純化してあるので、生地裁断時の布のロスを最小限に抑えることができる。また、パターンが単純であることで縫製がシンプルになる。よって、制作コストを抑えることができる。安価に販売することが可能となるので、広く多くの人々、特に自分で身を守るのに弱者である子供にはもれなく携帯させるということが可能となる。
【実施例２】
【００２４】
図７は、本考案の実施例２の防災頭巾全体構成を示す斜視概略図である。また、図８は、本考案の実施例２の防災頭巾のＣ-Ｃ´線断面概略図である。本実施例の防災頭巾１は、折り畳み可能な携帯用の防災頭巾であって、２層構造で上面側が保護部２１で下面側がポケット部２２である第一保護部材２と、第一保護部材２の周縁部分に吊設された垂れ布である第二保護部材３とを具備する。保護部２１の内部には、保護板２１１を有する。本実施例では、第二保護部材３より内側で第一保護部材２の下方に脱帽防止用部材４を有する。本実施例では、保護板２１１及びポケット部２２以外の第一保護部材２と第二保護部材３と脱帽防止用部材４はともに防炎又は難燃性の布地でできている。本実施例では、防炎アルミ蒸着生地からなる布地を使用しているが、これに限定されない。本実施例では、第一保護部材２の保護部２１の布地は単純な円形であり、第二保護部材３の布地は、単純な直線裁ちである。第一保護部材２は装着時に頭頂部を保護する上面部分となるものであり、第二保護部材３は装着時に側頭部と後頭部と顔側面部と頚部とを保護する裾部分となるものである。本実施例では、脱帽防止用部材４は顎かけ紐であり、顎かけ紐は、輪状に吊り下ろした左右の耳部紐と、一端を片方の耳部紐に通して他端をもう片方の耳部紐に通した平ゴム紐からなるもので、顎にかけて、菅笠用の顎かけ紐と同様にして、防災頭巾１の脱落を防止する。顎にかける部分がゴム状であるため、多少の顔の大きさにかかわらずフィットして防災頭巾１の脱落を防止する。第二保護部材３の顔両側端には、互いに嵌めて係止できる裾係止部３１として、本実施例において、ハトメボタンを有する。
【００２５】
ポケット部２２は、保護部の下面側に設けてあり、左右周縁部分を保護部２１に固着させ後方が開口部である袋形状のメッシュ地であり周囲長が前記保護部の周囲長より短い。したがって、装着状態において、図８に示したように、ポケット部２２の上方の保護部２１は中央部分が浮き上がった状態となり、保護部２１とポケット部２２との間に空間ができ、上方からの衝撃を緩和する役目を果たす。固着方法としては、例えば縫合や接着が挙げられる。本実施例では、幼児を含む子供がかばんやランドセルにキーホルダーのように取り付けられるよう、持ち手５がついている。持ち手５にナスカン等を通せば、容易にカバン等から着脱できる。ポケット部２２は、災害に遭った際に手元にある物、例えばおむつやタオルハンカチなど、を入れられる収納スペースとなっている。ポケット部２２には何も入れなくても使うことができる。
【００２６】
保護部２１は、本実施例では、折曲線２１２（図７において、折曲線２１２ｂ及び折曲線２１２ｃ）によって、正面から向って左側、中央、右側（図８において、保護部２１ｃ、保護部２１ｄ、保護部２１ｅ）の３部に分かれており、それぞれ、左側用と中央用と右側用に３分割した保護板２１１（図８において、保護板２１１ｃ及び保護板２１１ｄ、保護板２１１ｅ）を内部に並べ袋状に綴じこんである。本実施例では、保護板２１１ｃ及び保護板２１１ｄ、保護板２１１ｅは、それぞれ独立した袋状の内部に保持するために、折曲線２１２として、保護板２１１同士の間でライン状に保護部２１の上部の布地と下部の布地を縫合してあるが、縫合のほかに接着等であってもよい。これにより、保護板２１１同士がずれて重なることを防止できる。折りたたみ時には、かかるライン状の縫い目あるいは接着部分を折曲線として折り曲げることができる。本実施例では、保護板２１１は、波状に加工した強化プラスチック板を表裏の強化プラスチック板で挟んで接着させてなる合板である。したがって、保護板２１１は、軽くて薄いながらも衝撃吸収ライナーの役目を十分に果たす。
【００２７】
図９は、本考案の実施例２の防災頭巾の内側の構造を示す説明図である。ポケット部２２の開口部は後ろ側（図９において下側）にあり、うつむいても中身が飛び出さない。本実施例においては、第一保護部材２に、ポケット部２２と第二保護部材３と脱帽防止用部材４とが取り付けてあるので、全て一体となっており、パーツを組み合わせる等の煩わしさがないので子供でも容易に装着できる。図９において、折曲線２１２は省略してある。
【００２８】
図１０は、本考案の実施例２の防災頭巾の折り畳み収納時における斜視概略図である。また、図１１は、本考案の実施例２の防災頭巾の収納用係止部の位置を示す説明図である。第一保護部材２には、第一保護部材２の内側へ第二保護部材３を折り畳み、保護板２１１同士の間を折曲線として第一保護部材２を内側へ折り曲げ第二保護部材３を第一保護部材２の内側に収納した状態で保持するための収納用係止部２３（図９において、収納用係止部２３ｃ及び収納用係止部２３ｄ）を有する。収納用係止部２３ｃと収納用係止部２３ｄは、本実施例では、一組のハトメボタンであるが、例えば、一組の面ファスナやスナップであってもよい。図９では、収納用係止部２３のうち、前方側の収納用係止部２３ｃ、２３ｄしか図示していないが、後方にも一組の収納用係止部を有する。第一保護部材２の周縁部分の前方以外を囲むように第二保護部材３が取り付けられており、装着時には、第二保護部材３が第一保護部材２の側方及び後方に吊り下げて垂れた状態となる。折りたたみ時には、ポケット部２２に収納した物を取り出したうえで、第一保護部材２の内側（図９において、紙面手前側）へ第二保護部材３を折り畳み、第二保護部材３が第一保護部材２の外側にはみ出さないようにし、折曲線２１２ｂ、２１２ｃで、第一保護部材２を内側へ折り曲げ第二保護部材３を第一保護部材２の内側に収納した状態にする。
【００２９】
折曲線２１２ｂ、２１２ｃで第一保護部材２を内側へ折り曲げ第二保護部材３を第一保護部材２の内側に収納した状態で、前方側の収納用係止部２３ｃと収納用係止部２３ｄを向かいあわせて係止し、また後方側の収納用係止部２３ｅとこれに対応する収納用係止部を向かいあわせて係止し、折りたたんだ状態を保持する。折りたたみ時には半月状のポーチ型になる。災害が発生していない通常時には、かかる状態で持ち歩くことができる。本実施例は、特に、操作がきわめて簡単で、幼児用や子供用に適している。子供用であれば、長さ２０ｃｍ、幅９ｃｍで、厚みは厚いほうでも５ｃｍ程度、薄いほうはほぼ厚みなし）きわめてコンパクトで、重さも１００ｇ強程度で軽い。したがって、子供や幼児がカバン等に取り付けて持ち歩くのにきわめて適する。
【００３０】
本実施例の防災頭巾１は折り畳み状態ではカバン等にぶら下げて邪魔にならずに持ち歩けるので、災害発生時には、ぶら下げを外して、折り畳み状態の防災頭巾１を取り出して、収納用係止部２３（例えばハトメボタン）を外すだけで、図９に示したような状態に広げることができ、そのまま頭に被ることが可能である。
【００３１】
本考案の実施例１の防災頭巾によれば、実施例１と同様に、コンパクトで日常持ち歩くのに適し、機能性に優れ、かつすばやい装着が可能である。したがって、常に携帯可能で近く起きると想定される地震に備えて多くの人々に安心を与えるものである。
【００３２】
ランドセル横フック部分に掛ける等して毎日持ち歩き、災害発生時にはすぐに取り出して頭部を被い、折りたたんで収納されている垂れの部分で肩まで防御できる。また、頭部に強化プラスチックを縫い込み、そのままかぶるだけでも頭部を保護できるが頭部にポケットをつけることにより、おむつやタオルハンカチなどクッション性がある物を収納し、より衝撃から頭部を守ることができる。したがって、予想できない災害に対応できる。水、火の粉、ガラスの破片から頭部・肩部を守ることができる。頭上にのせたポケット部２２と、そのうえの保護部２１との間に空間があるので、頭部への落下物の衝撃を和らげることができる。プラスチック部分を３分割して縫い込む構造であるために、折りたたみやすくなるので非常にコンパクトになる。収納用係止部をはずすだけで内側の垂れ部分である第二保護部材がおりて、顔の側面、肩、背中上部を保護できる。さらに、前方の裾係止部を前中央ではめて脱げにくくできるとともに、口元や前方首部分も保護できる。小さい子供の場合でも装着が容易で、またポケットにタオルハンカチやオムツなどを入れて保護することも可能である。ポケット部２２の開口側は内側後方のため、貴重品を収納した場合他人から簡単に奪われる事態が起こりにくい。
【００３３】
縫製の製図について、パターン（型紙）が各部分とも円形又は長方形に単純化してあるので、生地裁断時の布のロスを最小限に抑えることができる。また、パターンが単純であることで縫製がシンプルになる。よって、制作コストを抑えることができる。安価に販売することが可能となるので、広く多くの人々、特に自分で身を守るのに弱者である子供にはもれなく携帯させるということが可能となる。
【００３４】
なお、本考案は、上記実施の形態に限定されず、その考案の趣旨を逸脱しない範囲で種々と変形実施が可能である。また、上記各実施の形態の構成要素を考案の趣旨を逸脱しない範囲で任意に組み合わせることができる。
【符号の説明】
【００３５】
１      防災頭巾
２      第一保護部材
２１    保護部
２１１  保護板
２１２  折曲線
２２    ポケット部
２２１  ふた部
２３    収納用係止部
３      第二保護部材
３１    裾係止部
４      脱帽防止用部材
５      持ち手
【図１】
0003177059.tif 000003
【図２】
0003177059.tif 000004
【図３】
0003177059.tif 000005
【図４】
0003177059.tif 000006
【図５】
0003177059.tif 000007
【図６】
0003177059.tif 000008
【図７】
0003177059.tif 000009
【図８】
0003177059.tif 000010
【図９】
0003177059.tif 000011
【図１０】
0003177059.tif 000012
【図１１】
0003177059.tif 000013